(57)【要約】      （修正有）【課題】ツーウエイモップの提供。【解決手段】柄５１に接続されたモップヘッド１０、可動レバー、底座３０、及び二つの折り畳み式の翼片４０を具え、モップヘッドの一端に凹んだ収納室１２が形成されて可動レバーの一端が該収容室を通り該柄に枢設され、もう一端が収納室内で該底座に枢設され、さらに底座の二側に翼片が枢設され、二つの翼片が可動レバーの動作に連動し、折り畳み状態を呈し、且つ二つの翼片及び柄の可動角度を調整でき、該翼片の底端面に別に少なくとも一つの係止手段５５が設けられ、スポンジ構造或いは静電布が選択的に接合され、多用途の目的を達成する。【選択図】図３
0003101484.tif 000002
【実用新案登録請求の範囲】
【請求項１】
モップヘッド、可動レバー、底座、及び二つの折り畳み式の翼片を具え、
該モップヘッドの柄との接続端の別端に凹んだ収納室が形成され、該収納室の内壁面に沿って二つの案内溝が形成されて可動レバーの一端の設置時の位置決めに供され、
該可動レバーはレバーと二つの連接棒が枢設されてなり、該レバーが該柄に枢支され、該二つの連接棒は、その一端がモップヘッドを通った後に該レバーに枢設され、その別端が該案内溝内に限位され、
該底座は可動レバーと翼片の枢設に供され、その座体の上縁に第１枢設部が凸設され、我第１枢設部にピンで二つの連接棒の一端が枢支され、該底座の二側に複数の第２枢設部が形成されて二つの翼片の組み付けに供され、二つの翼片が可動レバーの動作に連動し、  該二つの翼片が塊状板体とされ、その一側辺に該底座の第２枢設部に対応する複数の枢設部が開設され、二つの翼片が底座の二側に枢設され、該翼片の底面に少なくとも一つの係止手段が設けられてスポンジ構造或いは静電布等の擦拭手段の取り付けに供され、
二つの翼片が可動レバーの動作に連動して収納室内で収納状態を呈し、且つ使用時に二つの翼片と該柄の間の使用角度を調整できるほか、スポンジ構造或いは静電布の交換に便利であることを特徴とする、ツーウエイモップ。
【請求項２】
請求項１記載のツーウエイモップにおいて、翼片が収納室内に収容される時、擦拭手段が湿式形態である時、モップヘッドの内壁面が翼片を圧迫して擦拭手段を脱水するよう形成されたことを特徴とする、ツーウエイモップ。
【請求項３】
請求項１又は請求項２記載のツーウエイモップにおいて、収納室の内壁面の端面近くに複数の車輪が設けられて二つの翼片が収納室に収容される時のモップヘッドとの間の不良な摩擦が防止されたことを特徴とする、ツーウエイモップ。
【請求項４】
請求項１記載のツーウエイモップにおいて、可動レバーの二つの連接棒が長匙状を呈し、細状の接続端と太状の枢設端を具え、組み付け時に、該枢設端がモップヘッドの案内溝部分に設けられることを特徴とする、ツーウエイモップ。
【請求項５】
請求項１記載のツーウエイモップにおいて、モップヘッドの柄に接続された一端の側面に収納室に貫通する貫通孔が開設されて連接棒の一端が通されることを特徴とする、ツーウエイモップ。
【請求項６】
請求項１記載のツーウエイモップにおいて、翼片が一体成形されるか或いは上蓋と底板が組み合わされてなることを特徴とする、ツーウエイモップ。
【請求項７】
請求項１記載のツーウエイモップにおいて、翼片が底座の二側に枢設される時、少なくとも一つの回復手段が二つの翼片の間に枢設され、該回復手段の二端が翼片に当接し、これにより翼片が収納室より離脱する時、自動的に平らに展開した状態を呈することを特徴とする、ツーウエイモップ。
【請求項８】
請求項１記載のツーウエイモップにおいて、翼片と擦拭手段の間に設けられた係止手段は雄形或いは雌形の粘着帯とされるか、或いは凸状物と係止孔部の組合せを利用した係止具とされたことを特徴とする、ツーウエイモップ。
【考案の詳細な説明】
【技術分野】
【０００１】
本考案は乾式或いは湿式の掃除のいずれにも使用できるツーウエイモップに係り、特に、柄に接続されたモップヘッド、可動レバー、底座、及び二つの折り畳み式の翼片を具え、モップヘッドの一端に凹んだ収納室が形成されて可動レバーの一端が該収容室を通り該柄に枢設され、もう一端が収納室内で該底座に枢設され、さらに底座の二側に翼片が枢設され、二つの翼片が可動レバーの動作に連動し、折り畳み状態を呈し、且つ二つの翼片及び柄の可動角度を調整でき、該翼片の底端面に別に少なくとも一つの係止手段が設けられ、スポンジ構造或いは静電布が選択的に接合され、多用途の目的を達成するツーウエイモップに関する。
【背景技術】
【０００２】
一般にモップは掃除の形式により乾式と湿式の二種類に分けられ、そのうち、乾式モップは、静電布がモップの一端に取り付けられて灰塵、毛髪等を拭き取るのに使用される。湿式モップはモップの一端に吸水スポンジ（或いはその他の吸水性物品）が取り付けられ、吸水スポンジに水或いは洗剤を含ませて拭き掃除に使用される。この二種類のモップの擦拭機能は使用上、相互に交換することはできず、即ちフローリングは水で掃除するとフローリングを破壊しやすく、濡らしたモップでは灰塵、毛髪等の細かいゴミを有効に取り除くことができない。このため一般の消費者にとっては、二種類のモップを購入しなければならず、コスト負担が増し、且つ収納場所をとるという問題があった。このほか、湿式モップは、使用者が握持する柄と掃除端の構造がいずれも固定形態とされ、このため使用時に狭い或いは角度を有する空間に突き当たると、完全に掃除面と床とを接触させられず、掃除に不便であり、改良の必要がある。
【考案の開示】
【考案が解決しようとする課題】
【０００３】
本考案は単一のモップに選択的に吸水性物品或いは静電布を交換して取り付けることができるようにし、モップに乾式と湿式モップ機能を共に具備させることを目的としている。
【課題を解決するための手段】
【０００４】
請求項１の考案は、モップヘッド、可動レバー、底座、及び二つの折り畳み式の翼片を具え、
該モップヘッドの柄との接続端の別端に凹んだ収納室が形成され、該収納室の内壁面に沿って二つの案内溝が形成されて可動レバーの一端の設置時の位置決めに供され、
該可動レバーはレバーと二つの連接棒が枢設されてなり、該レバーが該柄に枢支され、該二つの連接棒は、その一端がモップヘッドを通った後に該レバーに枢設され、その別端が該案内溝内に限位され、
該底座は可動レバーと翼片の枢設に供され、その座体の上縁に第１枢設部が凸設され、我第１枢設部にピンで二つの連接棒の一端が枢支され、該底座の二側に複数の第２枢設部が形成されて二つの翼片の組み付けに供され、二つの翼片が可動レバーの動作に連動し、  該二つの翼片が塊状板体とされ、その一側辺に該底座の第２枢設部に対応する複数の枢設部が開設され、二つの翼片が底座の二側に枢設され、該翼片の底面に少なくとも一つの係止手段が設けられてスポンジ構造或いは静電布等の擦拭手段の取り付けに供され、
二つの翼片が可動レバーの動作に連動して収納室内で収納状態を呈し、且つ使用時に二つの翼片と該柄の間の使用角度を調整できるほか、スポンジ構造或いは静電布の交換に便利であることを特徴とする、ツーウエイモップとしている。
請求項２の考案は、請求項１記載のツーウエイモップにおいて、翼片が収納室内に収容される時、擦拭手段が湿式形態である時、モップヘッドの内壁面が翼片を圧迫して擦拭手段を脱水するよう形成されたことを特徴とする、ツーウエイモップとしている。
請求項３の考案は、請求項１又は請求項２記載のツーウエイモップにおいて、収納室の内壁面の端面近くに複数の車輪が設けられて二つの翼片が収納室に収容される時のモップヘッドとの間の不良な摩擦が防止されたことを特徴とする、ツーウエイモップとしている。
請求項４の考案は、請求項１記載のツーウエイモップにおいて、可動レバーの二つの連接棒が長匙状を呈し、細状の接続端と太状の枢設端を具え、組み付け時に、該枢設端がモップヘッドの案内溝部分に設けられることを特徴とする、ツーウエイモップとしている。
請求項５の考案は、請求項１記載のツーウエイモップにおいて、モップヘッドの柄に接続された一端の側面に収納室に貫通する貫通孔が開設されて連接棒の一端が通されることを特徴とする、ツーウエイモップとしている。
請求項６の考案は、請求項１記載のツーウエイモップにおいて、翼片が一体成形されるか或いは上蓋と底板が組み合わされてなることを特徴とする、ツーウエイモップとしている。
請求項７の考案は、請求項１記載のツーウエイモップにおいて、翼片が底座の二側に枢設される時、少なくとも一つの回復手段が二つの翼片の間に枢設され、該回復手段の二端が翼片に当接し、これにより翼片が収納室より離脱する時、自動的に平らに展開した状態を呈することを特徴とする、ツーウエイモップとしている。
請求項８の考案は、請求項１記載のツーウエイモップにおいて、翼片と擦拭手段の間に設けられた係止手段は雄形或いは雌形の粘着帯とされるか、或いは凸状物と係止孔部の組合せを利用した係止具とされたことを特徴とする、ツーウエイモップとしている。
【考案の効果】
【０００５】
本考案は周知の乾式、湿式モップの欠点を解決し、単一のモップに選択的に吸水性物品或いは静電布を交換して取り付けることができるようにし、モップに乾式と湿式モップ機能を共に具備させることを目的を達成している。
【考案を実施するための最良の形態】
【０００６】
図１から図４に示されるように、本考案のツーウエイモップは、モップヘッド１０、可動レバー２０、底座３０、及び二つの折り畳み式の翼片４０を具えている。
【０００７】
該モップヘッド１０は四角状を呈し、その一端が使用者の握持に供される柄５１に固定され、並びに貫通孔１１が開設され、別端に凹んで略Ｕ形を呈する収納室１２が形成され、該収納室１２が貫通孔１１と連通し、且つそのＵ形の内壁面に沿って別に二つの案内溝１３が形成され、可動レバー２０の一端が設置される時の位置決めに供される。
【０００８】
該可動レバー２０はレバー２１と二つの連接棒２２が枢設されてなり、該レバー２１は逆Ｕ形を呈し、該柄５１の下端近くに枢支され、該二つの連接棒２２は長匙状を呈し、比較的細い接続端２２１と比較的太い枢設端２２２を具え、二つの接続端２２１がモップヘッド１０の収納室１２より突出してピン５２で柄５１に枢支され、該枢設端２２２はモップヘッド１０の案内溝１３内に制限される。
【０００９】
該底座３０は略凸字形を呈し、突出部に第１枢設部３１が設けられ、該第１枢設部３１は貫通孔状を呈し、ピン５０で二つの連接棒２２の一端に枢設され、該底座３０の二側に複数の第２枢設部３２が形成され、該第２枢設部３２が内に凹んだ切欠き状を呈して二つの翼片４０の組み付けに用いられ、該二つの翼片４０が可動レバー２０の動作を受けて連動する。
【００１０】
該二つの翼片４０は塊状板体とされ、それは一体成形構造とされるか、或いは上蓋４１及び底板４２で組成され、二つの翼片４０の相対する一側辺に該底座３０の第２枢設部３２に対応する複数の枢設部４３が開設され、二つの翼片４０が二つの長ピン５３で底座３０の二側に枢設される。二つの回復手段５４は二つの翼片４０が該底座３０の二側に枢設される時に、二つの長ピン５３が通されて二つの翼片４０の間に設けられ、これによりこれら回復手段５４の二端が二つの翼片４０と当接する。
【００１１】
該二つの翼片４０の底面に少なくとも一つの係止手段５５が設けられ、スポンジ構造或いは静電布等の擦拭手段５６の取り付けに供され、該係止手段５５は雌形或いは雄形の粘着帯とされるか、或いは凸状物と係止孔が係合する係合構造とされ、本考案の実施例では、各翼片４０の背面に凹孔部４４が形成され、該係止手段５５の一方が内部に設置され、該係止手段５５のもう一方が擦拭手段５６の一面に設けられ、これにより異なる使用形態の擦拭手段５６に交換するのに便利とされている。
【００１２】
本考案は以上の構成要件からなり、二つの翼片４０が可動レバー２０に駆動されて折り畳み状態を呈し、擦拭手段５６の脱水の機能を有すると共に、該二つの翼片４０と柄５１の間の使用角度を調整でき、またスポンジ構造と静電布を交換できる特徴を有している。
【００１３】
以下にさらに本考案の使用方式と機能の特徴について説明する。図４と図５を参照されたい。本考案の使用方式は、乾式、湿式の二種類に分けられる。乾式形態で使用する時、乾式の擦拭手段５６（例えば静電布）を係止手段５５により翼片４０背面に固定する。本考案を湿式形態で使用する時は、擦拭手段５６を湿式形態のもの（スポンジ等）に交換すればよい。これにより、使用者は１本のモップを購入するだけで、乾式と湿式の二つの掃除機能を具備させることができ、且つ使用時に、二つの翼片４０と柄５１の間を可動レバー２０を利用して枢設し、翼片４０にある角度の回転を行なわせることができる（図６参照）。
【００１４】
本考案は使用過程或いは放置時に、翼片４０を可動レバー２０で駆動してモップヘッド１０の収納室１２内に収容でき、これにより使用者は選択的に本考案を収納でき、空間上の占用を形成させない。可動レバー２０を定位に回復させると、二つの翼片４０は収納室１２より離脱して展開した状態を呈する。
【００１５】
このほか、本考案は湿式形態で使用する時、翼片４０を収納室１２に収容する過程で、モップヘッド１０の内壁面が翼片４０を圧迫して擦拭手段５６を絞って排水する効果を達成する。しかし、二つの翼片４０と収納室１２内壁面に不良な摩擦が発生するのを防止するため、本考案は設計上、収納室１２の内壁面の端面近くに複数の車輪５７が枢設され、翼片４０の折り畳み時の順調性と構造安定性を増している。
【図面の簡単な説明】
【００１６】
【図１】本考案の斜視図である。
【図２】本考案の別の斜視図である。
【図３】本考案の分解斜視図である。
【図４】本考案の組合せ断面図である（折り畳み前）。
【図５】本考案の組合せ断面図である（折り畳み後）。
【図６】本考案の応用実施例図である。
【符号の説明】
【００１７】
１０  モップヘッド              １１  貫通孔
１２  収納室                    １３  案内溝
２０  可動レバー                ２１  レバー
２２  連接棒                    ２２１  接続端
２２２  枢設端                  ３０  底座
３１  第１枢設部                ３２  第２枢設部
４０  翼片                      ４１  上蓋
４２  底板                      ４３  枢設部
４４  凹孔部                    ５１  柄
５２  ピン                      ５３  長ピン
５４  回復手段                  ５５  係止手段
５６  擦拭手段                  ５７  車輪
【図１】
0003101484.tif 000003
【図２】
0003101484.tif 000004
【図３】
0003101484.tif 000005
【図４】
0003101484.tif 000006
【図５】
0003101484.tif 000007
【図６】
0003101484.tif 000008